(57)【特許請求の範囲】
【請求項１】
器具と、当該器具内に設けられた燃焼室と、当該燃焼室内で燃料ガスを燃焼するバーナと、当該バーナに燃焼用空気を供給する燃焼用空気供給ファンと、前記バーナの燃焼ガスから顕熱を回収して伝熱管内の通水を加熱する主熱交換器と、当該主熱交換器を通過した燃焼ガスから、前記主熱交換器で回収しきれなかった顕熱に加えて潜熱を回収して伝熱管内の通水を加熱する副熱交換器と、当該副熱交換器での潜熱回収によって発生したドレンを受けるタンクと、ドレンを霧状に噴出するノズルと、前記タンク内のドレンを配管を介して前記ノズルに供給するポンプとを備えた給湯器であって、
前記器具内において前記器具の上下方向に延設された筒体であって、当該筒体の内側が前記器具外と連通する筒体を備え、
前記ノズルは、前記筒体の下端に設けられたドレンの入口に対向して配置され、かつ霧状のドレンを前記筒体の軸線方向に噴出することを特徴とする給湯器。
【請求項２】
前記副熱交換器による熱交換後の燃焼排気を前記器具外に排出する排気筒体を備え、
当該排気筒体の途中に設けられた接続部に、前記筒体の上端に設けられたドレンの出口が接続されていることを特徴とする請求項１に記載の給湯器。
【請求項３】
前記接続部にはベンチュリーが設けられ、
当該ベンチュリーの吸引口に、前記筒体の前記出口が接続されていることを特徴とする請求項２に記載の給湯器。
【請求項４】
前記筒体の前記出口は、前記器具外に配置されたことを特徴とする請求項１に記載の給湯器。
【請求項５】
前記筒体の前記入口はスロート状に形成されていることを特徴とする請求項１乃至４の何れかに記載の給湯器。
【請求項６】
前記タンクは、前記筒体の前記入口の下方に配置されていることを特徴とする請求項１乃至５の何れかに記載の給湯器。
【請求項７】
前記筒体の前記入口から落下するドレンを受けて、前記タンク内に回収する回収手段を備えていることを特徴とする請求項１乃至５の何れかに記載の給湯器。
【発明の詳細な説明】
【技術分野】
【０００１】
本発明は、給湯器に関し、詳しくは、バーナの燃焼排気から顕熱と潜熱とを回収して通水を加熱する熱交換器を備えた給湯器に関する。
【背景技術】
【０００２】
従来より、燃焼排気流路中の上流側に主に顕熱回収を目的とした主熱交換器を、下流側に主に潜熱回収を目的とした副熱交換器を設けて高い熱交換率が得られる潜熱回収型の給湯器が知られている（例えば、特許文献１参照）。このタイプの給湯器は、例えば、フィンチューブ式の副熱交換器と、フィンチューブ式の主熱交換器とを上下２段に離間して備え、その間のスペースに、副熱交換器にて潜熱回収により発生したドレン（潜熱回収後の凝縮水）を受けるドレン受皿を備える構成となっている。
【０００３】
このような潜熱回収型の給湯器では、まず、バーナからの高温の燃焼排気が、給気ファンにより主熱交換器の各主フィン間を貫流し良好に熱交換される。さらに温度の下がった燃焼排気が、副熱交換器の各副フィン間を流れ、副熱交換器においても良好に熱交換され、排気フードを介して器具外へ排出される。一方、上方に配置された副熱交換器にて潜熱回収により発生したドレンはドレン受皿で集水され、ドレン排管を通って中和器で処理された後、下水道等の排水設備に排出される。
【０００４】
しかし、この特許文献１に記載の給湯器では、ドレン受皿に集水されたドレンを排出するために、前記排水設備の配管等の施工工事が必要となり、膨大なコストがかかるという問題点があった。
【０００５】
そこで、本件出願人は、ドレンをノズルから霧状に噴出させて、器具外に排出できる給湯器（特願２００５−２６１５５５）を提案した。図２に示すように、この給湯器３００は、器具本体１２０内に設けられた燃焼室１３０と、該燃焼室１３０内に設けられたバーナ１８０と、該バーナ１８０に給気する燃焼用空気供給ファン１５０と、主熱交換器１９０及び副熱交換器２００とを主体に構成されている。そして、副熱交換器２００で発生したドレンは、ドレン受皿１１１に受けられ、複数の配管等を通して、ドレンタンク１１７に貯留されるようになっている。さらに、そのドレンタンク１１７に溜まったドレンは、ドレンポンプ２２０によって吸い上げられ、ドレン配管１１８，１１９を介し、排気フード１２８の内側に配置されたノズル１２２から霧状に噴出され、排気フード１２８内を流れる燃焼排気にのって器具本体１２０外に排出される。これにより、ドレンの排水設備の配管等の施工工事を不要とすることができる。
【特許文献１】特開２００２−２６７２７３号公報
【発明の開示】
【発明が解決しようとする課題】
【０００６】
しかしながら、図２に示す給湯器３００において、ノズル１２２は、液状のドレンを霧状に噴出するスプレーノズルであるので、霧状に噴出されたドレンの噴霧粒子径は小さいものから大きいものまで存在する。よって、ノズル１２２から噴出された噴霧粒子径の大きいドレンは小さいものに比べて重く、遠くに飛ばないため、排気フード１２８の排気出口１２９付近にドレンが落下してしまうという恐れがあった。さらに、ノズル１２２の先端部に噴霧粒子径の大きいドレンが付着して液だれを生ずると、排気フード１２８内がドレンで濡れてしまうという恐れもあった。また、これらの問題点を回避するために、例えば、ドレンポンプ２２０の吐出圧を上げて噴霧粒子径を小さくすることも可能だが、ドレンポンプ２２０の駆動にかかる電力消費を増大させることになり好ましくない。
【０００７】
本発明は、上記課題を解決するためになされたものであり、噴霧粒子径の小さい霧状のドレンだけを大気中に放出できる給湯器を提供することを目的とする。
【課題を解決するための手段】
【０００８】
上記目的を達成するために、請求項１に係る発明の給湯器は、器具と、当該器具内に設けられた燃焼室と、当該燃焼室内で燃料ガスを燃焼するバーナと、当該バーナに燃焼用空気を供給する燃焼用空気供給ファンと、前記バーナの燃焼ガスから顕熱を回収して伝熱管内の通水を加熱する主熱交換器と、当該主熱交換器を通過した燃焼ガスから、前記主熱交換器で回収しきれなかった顕熱に加えて潜熱を回収して伝熱管内の通水を加熱する副熱交換器と、当該副熱交換器での潜熱回収によって発生したドレンを受けるタンクと、ドレンを霧状に噴出するノズルと、前記タンク内のドレンを配管を介して前記ノズルに供給するポンプとを備えた給湯器であって、前記器具内において前記器具の上下方向に延設された筒体であって、当該筒体の内側が前記器具外と連通する筒体を備え、前記ノズルは、前記筒体の下端に設けられたドレンの入口に対向して配置され、かつ霧状のドレンを前記筒体の軸線方向に噴出することを特徴とする。
【０００９】
また、請求項２に係る発明の給湯器によれば、請求項１に記載の発明の構成に加え、前記副熱交換器による熱交換後の燃焼排気を前記器具外に排出する排気筒体を備え、当該排気筒体の途中に設けられた接続部に、前記筒体の上端に設けられたドレンの出口が接続されている。
【００１０】
また、請求項３に係る発明の給湯器によれば、請求項２に記載の発明の構成に加え、前記接続部にはベンチュリーが設けられ、当該ベンチュリーの吸引口に、前記筒体の前記出口が接続されている。
【００１１】
また、請求項４に係る発明の給湯器によれば、請求項１に記載の発明の構成に加え、前記筒体の前記出口は、前記器具外に配置されている。
【００１２】
また、請求項５に係る発明の給湯器によれば、請求項１乃至４の何れかに記載の発明の構成に加え、前記筒体の前記入口はスロート状に形成されている。
【００１３】
また、請求項６に係る発明の給湯器によれば、請求項１乃至５の何れかに記載の発明の構成に加え、前記タンクは、前記筒体の前記入口の下方に配置されている。
【００１４】
また、請求項７に係る発明の給湯器によれば、請求項１乃至５の何れかに記載の発明の構成に加え、前記筒体の前記入口から落下するドレンを受けて、前記タンク内に回収する回収手段を備えている。
【発明の効果】
【００１５】
請求項１に係る発明の給湯器では、ノズルが筒体の入口に向かって対向し、かつ霧状のドレンを筒体の軸線方向に噴出する。故に、ノズルから噴出された霧状のドレンは、入口から筒体の内側に噴出される。そして、ノズルから噴出された霧状のドレンのうち、噴霧粒子径の大きいものは、筒体の内壁に付着したり、重力によって落下する。筒体は器具の上下方向に延設されているので、筒体の内壁に付着した噴霧粒子径の大きいドレンは重力によってその内壁に沿って流下し、筒体の入口から液滴として落下する。よって、噴霧粒子径の小さいものだけが、筒体を通じて器具外に噴出されるので、器具外に噴出された直後にドレンが落下して器具周辺がドレンで濡れてしまうのを防止できる。
【００１６】
また、請求項２に係る発明の給湯器では、請求項１に記載の発明の効果に加え、筒体を流れた噴霧粒子径の小さいドレンを、接続部を介して排気筒体内を流れる燃焼排気の流れにのせることができる。よって、噴霧粒子径の小さいドレンを器具から遠くに飛ばすことができるので、器具付近にドレンが落下するのを防止できる。
【００１７】
また、請求項３に係る発明の給湯器では、請求項２に記載の発明の効果に加え、燃焼排気の流れを利用して、ベンチュリー内にベンチュリー効果を発生させる。これにより、ベンチュリー内が負圧になるため、筒体から排気筒体内に向かって噴霧粒子径の小さいドレンを吸引することができる。よって、ノズルにおけるドレンの噴出量が多い場合でも、筒体から排気筒体内に向かって噴霧粒子径の小さいドレンを吸い上げて、燃焼排気の流れにのせて器具外に排出することができる。
【００１８】
また、請求項４に係る発明の給湯器では、請求項１に記載の発明の効果に加え、筒体の出口は、器具外に配置されているので、筒体を流れた噴霧粒子径の小さいドレンを、そのまま器具外に排出することができる。
【００１９】
また、請求項５に係る発明の給湯器では、請求項１乃至４の何れかに記載の発明の効果に加え、筒体の入口はスロート状に形成されているので、ノズルから筒体の入口に向かってドレンが霧状に噴出されると同時に、そのスロート状に形成された部分でベンチュリー効果を発生でき、負圧を形成することができる。これにより、入口の周囲から筒体内に空気が一気に吸引されるので、ノズルから噴出されたドレンを、筒体内に勢いよく流入させることができる。
【００２０】
また、請求項６に係る発明の給湯器では、請求項１乃至５の何れかに記載の発明の効果に加え、タンクは、筒体の入口の下方に配置されているので、筒体の入口から落下したドレンを、タンク内にそのまま回収することができる。さらに、タンク内に回収されたドレンは、ポンプで吸い上げられ、ノズルから再び霧状に噴出されるので、ドレンの排出効率を向上できる。
【００２１】
また、請求項７に係る発明の給湯器では、請求項１乃至５の何れかに記載の発明の効果に加え、筒体の入口から落下したドレンは、回収手段によってタンク内に回収することができる。さらに、タンク内に回収されたドレンは、ポンプで吸い上げられ、ノズルから再び霧状に噴出されるので、ドレンの排出効率を向上できる。
【発明を実施するための最良の形態】
【００２２】
以下、本発明の一実施形態である給湯器について、図面に基づいて説明する。図１は、本実施形態である給湯器１の側面視断面図である。なお、図１において、図１の右側を給湯器１の前方とし、左側を給湯器１の後方とする。
【００２３】
なお、本実施形態である給湯器１は、ノズル２２から霧状に噴出されるドレンのうち、噴霧粒子径の小さいものだけを、ドレン筒体２５を介してベンチュリー４７で吸引し、排気フード２８内を流れる燃焼排気の流れにのせて、排気フード２８の排気出口２９から大気中に放出できる点に特徴を備えるものである。
【００２４】
はじめに、給湯器１について概略的に説明する。図１に示すように、給湯器１は、器具本体２を備え、該器具本体２内には燃焼室３が設けられている。そして、その燃焼室３の下方には、モータ４と連結した燃焼用空気供給ファン５が取り付けられている。さらに、器具本体２下部には、外気を燃焼用空気として取り込むための給気口６が開口して設けられている。一方、器具本体２の正面上部には、熱交換後の燃焼排気を排出するための排気口７が開口して設けられている。なお、給気口６の位置はこれに限定されない。
【００２５】
次に、燃焼室３の内部構造について説明する。燃焼室３には下から順に、燃料ガスと燃焼用空気供給ファン５からの一次空気との混合ガスを燃焼するバーナ８と、該バーナ８からの燃焼排気中の主に顕熱を回収する主伝熱管９ａと主フィン９ｂとを備えたフィンチューブ式の主熱交換器９と、主に潜熱を回収しドレンを発生する副伝熱管１０ａと副フィン１０ｂとを備えたフィンチューブ式の副熱交換器１０とが設けられている。なお、主熱交換器９としては、熱伝導性に優れた銅製のものを用いるのが好ましく、副熱交換器１０としては、ドレンに対する耐食性に優れたステンレス製のものを用いるのが好ましい。
【００２６】
さらに、燃焼室３の上部には、主熱交換器９、副熱交換器１０で熱交換後の燃焼排気を燃焼室３外へ排出する排気孔２７が開口されている。そして、その排気孔２７と前記排気口７との間には、熱交換後（潜熱回収後）の燃焼排気が流れる筒状の排気フード２８が略水平に渡設されている。そして、この排気フード２８の下流側一端部には排気出口２９が設けられ、該排気出口２９から燃焼排気が大気中に放出されるようになっている。なお、排気フード２８の排気出口２９は、排気口７から器具本体２外に向かって突出しているが、排気口７と同じ位置に配置してもよい。なお、図１に示す排気フード２８が、「排気筒」に相当する。
【００２７】
また、排気フード２８の途中には、フード内を流れる燃焼排気の流れによってベンチュリー効果を発生できるベンチュリー４７が設けられている。そして、そのベンチュリー４７の吸引口４７ａには、器具本体２の下方に向かって延設されたドレン筒体２５の出口が連結されている。さらに、そのドレン筒体２５の下方に延設された下端部には、ドレン筒体２５の入口であるドレン吸引口２６が設けられている。そして、そのドレン吸引口２６に対向するように、後述するノズル２２が配置されている。さらに、ドレン筒体２５におけるドレン吸引口２６の上流側には、絞り形状のスロート部２５ａが設けられている。このスロート部２５ａは、ノズル２２から噴出される霧状のドレンの流れを利用してベンチュリー効果を発生するために設けられたものである。なお、このスロート部２５ａの絞り形状により、ドレン吸引口２６はノズル２２に向かって口径が広くなる漏斗状に形成されている。
【００２８】
一方、副熱交換器１０の下方には、発生したドレンを受けるためのステンレス製の平板状のドレン受皿１１が傾斜して設けられている。そして、そのドレン受皿１１と燃焼室３との接触部分には、ドレンを排出するためのドレン抜孔１２が開口され、該ドレン抜孔１２にはドレン排管１３が接続されている。さらに、このドレン排管１３の途中には、Ｓ字トラップ１４が設けられており、ドレンがこのＳ字トラップ１４に溜まることによって、燃焼排気がドレン排管１３を通って器具内に再び戻るのを防いでいる。
【００２９】
そして、ドレン排管１３の下流側一端部には、酸性のドレンを中和するための中和器１５が接続されている。なお、この中和器１５は省略してもよい。さらに、この中和器１５の下流側出口には、中和処理後のドレンが流れるドレン排管１６が接続されている。そして、そのドレン排管１６の下流側一端部の下方には、中和されたドレンを貯留するためのドレンタンク１７が配置されている。さらに、このドレンタンク１７は、ドレン筒体２５のドレン吸引口２６の下方に配置されている。これにより、ドレン吸引口２６から液滴として落下するドレンを再度回収できるようになっている。また、ドレンタンク１７内には、水位センサ４５が設置され、該水位センサ４５は、コントローラ４０に電気的に接続されている。
【００３０】
また、そのドレンタンク１７の下部にはドレン排管１８が接続されている。さらに、そのドレン排管１８の下流側一端部には、ドレンポンプ２０が接続されている。さらに、ドレンポンプ２０の下流側には、ドレン排管１９が接続されている。そして、このドレン排管１９の下流側一端部は、ドレン筒体２５のドレン吸引口２６に向かって延設され、該下流側一端部には、ドレン筒体２５の内側に向かってドレンを霧状に噴出するノズル２２が設けられている。さらに、ノズル２２は、ドレン吸引口２６に対向して配置されるので、ノズル２２から霧状に噴出されたドレンは、ベンチュリー４７で発生するベンチュリー効果によって、ドレン吸引口２６からドレン筒体２５内に吸引されるようになっている。
【００３１】
なお、ドレンポンプ２０は、コントローラ４０に接続されている。よって、ドレンタンク１７の水位センサ４５が、タンク内のドレン水位が所定水位に達したことを検知すると、コントローラ４０からドレンポンプ２０に制御信号が出力される。そして、ドレンポンプ２０が駆動し、ノズル２２からドレンが霧状に噴出されるようになっている。なお、図１に示すドレンポンプ２０が、「ポンプ」に相当し、ドレン排管１８及びドレン排管１９が、「配管」に相当する。
【００３２】
また、器具本体２の底部には、水道水が供給される給水管３０の入口が設けられ、その給水管３０の下流側一端部は副伝熱管１０ａの入水口に接続されている。さらに、その副伝熱管１０ａの出水口は主伝熱管９ａの入水口に接続されている。そして、その主伝熱管９ａの出水口は巻回管（図示外）に接続されている。なお、この巻回管は燃焼室３の外周を巻回するように配置され、その下流側一端部には出湯管３１が接続されている。そして、その出湯管３１の下流側一端部の出口は、器具本体２の底部に配置されている。また、給水管３０には水流センサや水ガバナを備える水側制御ユニット３４が設けられ、バーナ８にガスを供給するガス管３２には主電磁弁３５及びガス比例弁３６が各々設けられている。さらに、水側制御ユニット３４内の水流センサや、主電磁弁３５及びガス比例弁３６及びモータ４は、器具本体２の下部に配置され、この給湯器１の燃焼動作を制御するコントローラ４０に電気的に接続されている。
【００３３】
次に、ベンチュリー４７について説明する。まず、ベンチュリー４７の燃焼排気が流入する管路は、ベンチュリー４７の中心に向かって内径を狭め、その先には噴霧粒子径の小さい霧状のドレンが吸引される管路と連通している。さらに、その下流側の燃焼排気と霧状のドレンが混合されて通過する管路はベンチュリー４７の出口側に向かって内径が再び広くなり、排気フード２８の排気出口２９に連通する構造となっている。
【００３４】
例えば、このような構造を備えるベンチュリー４７に向かって、燃焼室３から排出される燃焼排気が流入すると、管路の内径が狭くなった中心部分が加圧され、ベンチュリー４７の中心部分を通過した直後に燃焼排気は一気に押し出されて噴出する。そして、その噴出と同時に、ベンチュリー４７の中心部には、ベンチュリー効果による負圧が形成される。これにより、ドレン筒体２５内に噴出された霧状のドレンが一気に吸引され、燃焼排気と混合され、排気フード２８の排気出口２９に向かって勢いよく噴出する仕組みとなっている。
【００３５】
次に、上記構成からなる給湯器１の動作について説明する。図１に示すように、まず、給湯栓（図示外）を開くことにより、給水管３０に水道水が流れ、水側制御ユニット３４内の水量センサからの検知信号によりコントローラ４０が給湯制御動作を開始する。そして、燃焼用空気供給ファン５により所定のプリパージが行われ、その後、バーナ８の主電磁弁３５及びガス比例弁３６が開かれ、バーナ８にガスが供給されると共に、イグナイタ（図示外）によりバーナ８の点火動作が行われる。
【００３６】
次いで、点火動作が終了すると比例制御が開始される。この比例制御では、出湯温サーミスタ（図示外）で検出される湯温と設定温度との差に応じて、ガス比例弁３６を制御することにより、ガス量を連続的に変化させて熱交換器の出口温度を一定に保つことができる。また、ガス比例弁３６によるガス量の変化に応じて、燃焼用空気供給ファン５の回転数も変えられ、常にガス量と給気量とが所定の関係に保たれるように制御される。
【００３７】
また、この給湯器１では、主熱交換器９が排気流路の上流に設けられ、副熱交換器１０が排気流路の下流に設けられているため、バーナ８からの高温の燃焼排気が、燃焼用空気供給ファン５により主熱交換器９の各主フィン９ｂ間を貫流し良好に熱交換される。さらに、温度の下がった燃焼排気は、副熱交換器１０の各副フィン１０ｂ間を流れ、副熱交換器１０においても良好に熱交換される。そして、潜熱回収後の燃焼排気は、排気フード２８を流れ、ベンチュリー４７を介して排気出口２９から器具本体２外に排出される。
【００３８】
一方、主熱交換器９から排出される燃焼排気は、通水部である主伝熱管９ａのような局所的な低温部での部分的なドレン発生を防ぐために、約２００℃という高温で排出されている。一方、副熱交換器１０では、主熱交換器９で回収しきれなかった顕熱が回収され、燃焼排気温が露点以下になるとドレンが発生するため、潜熱も回収することができる。さらに、ここで発生したドレンは、ドレン受皿１１で集められドレン排管１３を通り、中和器１５で中和処理される。そして、中和器１５によって中和処理されたドレンは、ドレン排管１６を介して、ドレンタンク１７に貯留される。
【００３９】
次に、給湯器１におけるドレンの排出動作について説明する。まず、ドレンタンク１７内のドレンの水位が所定水位に達したことを水位センサ４５が検出する。すると、コントローラ４０からドレンポンプ２０に向かって制御信号が出力され、ドレンポンプ２０が駆動する。すると、ドレンタンク１７内のドレンが吸引され、ドレン排管１８、１９を介してノズル２２に供給される。よって、ノズル２２には、ドレンポンプ２０によるドレンの吐出圧がかかるため、ノズル２２からドレン筒体２５のドレン吸引口２６に向かってドレンが霧状に勢いよく噴出される。
【００４０】
そして、ドレン吸引口２６に向かって噴出された霧状のドレンのうち、噴霧粒子径の小さいものは、排気フード２８のベンチュリー４７で発生するベンチュリー効果により、ドレン筒体２５を介して、ベンチュリー４７に吸引される。さらに、ベンチュリー４７の中心部では、排気フード２８内を流れる燃焼排気と混合され、排気出口２９に向かって流れる。このとき、噴霧粒子径の小さい霧状のドレンの一部は、燃焼排気の熱によって蒸発する。一方、蒸発されなかったドレンは、燃焼排気の流れにのって排気出口２９から大気中に放出される。
【００４１】
また、ドレン筒体２５のスロート部２５ａでは、霧状のドレンが勢いよく流れるため、ベンチュリー効果を発生できる。これにより、スロート部２５ａの内側が負圧となるため、ドレン吸引口２６の周囲から空気が吸引され、ドレン筒体２５内に空気が勢いよく流れ込む。これにより、排気フード２８のベンチュリー４７で発生するベンチュリー効果が弱い場合でも、ドレン筒体２５を流れる霧状のドレンを押し上げて排気フード２８内に放出することができる。
【００４２】
一方、ドレン吸引口２６に向かって噴出された霧状のドレンのうち、噴霧粒子径の大きいものは、噴霧粒子径の小さいものに比べて重い。これにより、ベンチュリー４７に吸引されないので、ドレン吸引口２６からドレンタンク１７内に落下し、ドレンタンク１７に回収される。また、ドレン筒体２５の内壁に衝突して付着したドレンは、ドレン筒体２５の内壁に沿って流下し、ドレン吸引口２６からドレンタンク１７内に落下して回収される。そして、ドレンタンク１７内に回収されたドレンは、ドレンポンプ２０の駆動によって吸い上げられ、ドレン排管１８，１９を通ってノズル２２からドレン吸引口２６に向かって再び噴出される。こうして、ドレンタンク１７に回収されたドレンを、再びノズル２２から噴出させることができるので、ドレンの排出効率を向上できる。
【００４３】
したがって、排気フード２８内には、噴霧粒子径の小さいものだけが吸引されて、排気出口２９から放出されるため、排気フード２８内がドレンで濡れてしまうのを防止できる。さらに、噴霧粒子径が小さいので、排気フード２８の内壁にドレンが付着した場合でも、燃焼排気の熱によって蒸発させることができる。また、噴霧粒子径が小さいドレンは軽いので、排気フード２８内を流れる燃焼排気にのせて、霧状のドレンを排気出口２９から遠くに飛ばすことができる。よって、排気出口２９付近にドレンが落下して濡れるのを防止できる。
【００４４】
以上説明したように、本実施形態の給湯器１では、霧状に噴出されるドレンのうち、噴霧粒子径の小さいものだけを、ドレン筒体２５を介して、排気フード２８のベンチュリー４７内に吸引し、排気フード２８内を流れる燃焼排気の流れにのせて、排気出口２９から大気中に放出できる。そして、排気フード２８内には、噴霧粒子径の大きいドレンが流れないので、フード内がドレンで濡れてしまうのを防止できる。さらに、排気フード２８の内壁に霧状のドレンが付着した場合でも、ドレンの噴霧粒子径が小さいので、燃焼排気の熱によって蒸発させることができる。また、噴霧粒子径が小さいため、排気フード２８内を流れる燃焼排気にのせて、霧状のドレンを排気出口２９から遠くに飛ばすことができる。よって、排気出口２９付近にドレンが落下するのを防止できる。
【００４５】
さらに、ドレン筒体２５のスロート部２５ａでは、ベンチュリー効果を発生して負圧とすることができるため、ドレン吸引口２６の周囲から空気が吸引され、ドレン筒体２５内に空気が勢いよく流れ込む。これにより、排気フード２８のベンチュリー４７で発生するベンチュリー効果が弱い場合でも、ドレン筒体２５を流れる霧状のドレンを押し上げて排気フード２８内に放出することができる。
【００４６】
また、噴霧粒子径の小さいドレンの一部は、ベンチュリー４７から排気フード２８の排気出口２９までを流れる間に、排気フード２８内を流れる燃焼排気の熱で蒸発する。これにより、排気フード２８内を流れるドレン量が多くても、排気フード２８内が濡れることなく、大気中に放出することができる。
【００４７】
なお、本発明は上記実施形態に限定されることなく、様々な変形が可能であることは言うまでもない。例えば、上記実施形態では、ドレン筒体２５の下流側一端部を排気フード２８の途中に設けたベンチュリー４７の吸引口４７ａに連結しているが、ドレン筒体２５の下流側一端部の出口を、そのまま器具本体２の外側まで延設してもよい。この場合、ドレン筒体２５の出口から噴出された噴霧粒子径の小さい霧状のドレンはそのまま大気中に放出される。
【００４８】
また、上記実施形態では、ドレン筒体２５のドレン吸引口２６の下方にドレンタンク１７を配置することによって、ドレン吸引口２６から落下するドレンをそのままドレンタンク１７内に回収したが、例えば、ドレン吸引口２６から落下するドレンを受けて、ドレンタンク１７に回収する回収手段を設けてもよい。この回収手段として、例えば、ドレン吸引口２６から落下するドレンを受ける受皿と、該受皿からドレンタンク１７に向かって延設された樋状部材とで構成してもよい。また、回収手段を樋状部材のみで構成し、ドレン吸引口２６から落下するドレンを受けてそのままドレンタンク１７に流してもよい。
【００４９】
さらに、上記実施形態では、排気フード２８にベンチュリー４７を設け、排気フード２８内を流れる燃焼排気の流れを利用することによって、ベンチュリー４７内を負圧にしているが、例えば、燃焼用空気供給ファン５の給気の一部をバイパスして器具本体２外に排出するバイパス筒体を設け、該バイパス筒体の途中にベンチュリーを設けて、該ベンチュリーの吸引口に前記ドレン筒体２５の出口を連結させてもよい。この場合でも、ベンチュリー内を負圧にすることができる。
【００５０】
また、これ以外にも、例えば、器具本体２内に、給気ファンと、該給気ファンからの給気を器具本体２外に排出する排出筒体とを設け、該排出筒体の途中にベンチュリーを設けて、該ベンチュリーの吸引口に前記ドレン筒体２５の出口を連結させてもよい。この場合でも、ベンチュリー内を負圧にすることができる。
【００５１】
さらに、上記実施形態については、ベンチュリー４７のない排気フード２８の途中に、ドレン筒体２５の出口を接続させた構成としてもよい。この様な構成を採ったとしても、噴霧粒子径の小さい霧状のドレンを排気フード２８から大気中に放出することができる。
【産業上の利用可能性】
【００５２】
本発明の給湯器は、熱交換器でドレンが発生する給湯器に適用可能である。
【図面の簡単な説明】
【００５３】
【図１】本実施形態である給湯器１の側面視断面図である。
【図２】給湯器３００の側面視断面図である。
【符号の説明】
【００５４】
１    給湯器
２    器具本体
３    燃焼室
５    燃焼用給気ファン
６    給気口
７    排気口
８    バーナ
９    主熱交換器
９ａ  主伝熱管
１０    副熱交換器
１０ａ  副伝熱管
１７    ドレンタンク
１８    ドレン排管
１９    ドレン排管
２０    ドレンポンプ
２２    ノズル
２５    ドレン筒体
２５ａ  スロート部
２６    ドレン吸引口
２８    排気フード
２９    排気出口
４７    ベンチュリー
４７ａ  吸引口
【図１】
0004721108.tif 000002
【図２】
0004721108.tif 000003